(57)【要約】【課題】  遊技機の制御装置間の接続に用いられるハーネスに対する不正行為の発生を抑制することができる制御装置を提供する。【解決手段】  互いに協同して遊技制御動作を司る複数の制御回路基板と、該制御回路基板の間を接続するハーネスと、を有する遊技機の制御装置であって、該ハーネスが貫通し得る複数の貫通孔を有する貫通孔部材と、該貫通孔毎の該ハーネスの貫通の有無を示す検知出力を生成する検知センサと、該ハーネスの貫通している該貫通孔の位置に対応して該ハーネスの該貫通孔部材に対する貫通状態を該検知センサの出力に応じて判別する判別手段と、を有する。【選択図】  図５
2007244483.tif 000002
【特許請求の範囲】
【請求項１】
互いに協同して遊技制御動作を司る複数の制御回路基板と、前記制御回路基板の間を接続するハーネスと、を有する遊技機の制御装置であって、
前記ハーネスが貫通し得る複数の貫通孔を有する貫通孔部材と、
前記貫通孔毎の前記ハーネスの貫通の有無を示す検知出力を生成する検知センサと、
前記ハーネスの貫通している前記貫通孔の位置に対応して前記ハーネスの前記貫通孔部材に対する貫通状態を前記検知センサの出力に応じて判別する判別手段と、を有することを特徴とする遊技機の制御装置。
【請求項２】
前記貫通孔部材は前記制御回路基板と別体若しくは一体であることを特徴とする請求項１記載の制御装置。
【請求項３】
前記検知センサは前記貫通孔の周縁近傍に配置されかつ前記貫通孔を挟む位置に設けられた発光及び受光素子からなることを特徴とする請求項１又は２記載の制御装置。
【請求項４】
前記検知センサは前記貫通孔のうちの隣り合うもの同士の間に配置された押圧センサからなることを特徴とする請求項１又は２に記載の制御装置。
【請求項５】
前記検知センサは前記貫通孔内若しくは前記貫通孔の周縁近傍に配置された電磁誘導コイルからなることを特徴とする請求項１又は２に記載の制御装置。
【請求項６】
前記制御回路基板は基板カバーによって覆われていることを特徴とする請求項１乃至５の何れか１に記載の制御装置。
【請求項７】
前記貫通孔部材は前記基板カバーに覆われていることを特徴とする請求項６記載の制御装置。
【請求項８】
前記ハーネスと前記制御回路基板とはコネクタ部を介して接続されており、前記コネクタ部は前記基板カバーに覆われていることを特徴とする請求項６記載の制御装置。
【発明の詳細な説明】
【技術分野】
【０００１】
本発明は、遊技機の制御装置に関する。
【背景技術】
【０００２】
近年、パチンコ機およびスロットマシーン等の遊技機は、遊技盤に設けられた入賞装置および表示装置等を制御して遊技の興趣を盛り上げるものが主流となっている。この入賞装置および表示装置の制御は遊技状態に対応した演出データ等を保持している記憶メモリおよび遊技制御プログラムを実行するロジック回路等を備えた制御回路基板を含む制御装置によって行われており、かかる入賞装置および表示装置と制御装置とはハーネスを用いて接続されている。制御装置の制御回路基板は、入賞装置および表示装置等の制御回路基板と互いに協同して遊技制御動作を司っている。
【０００３】
上記の如き主制御装置及び副制御装置において、制御回路基板は基板カバーによって覆われている（例えば特許文献１および２参照）。かかる基板カバーは、制御回路基板のロジック回路および記憶メモリを覆い、かつ該基板カバーの窓を介してハーネス接続用のコネクタのみを外部に露出させる構造となっている。制御回路基板を該基板カバーで覆うことによって、制御回路基板（特にロジック回路及び記憶メモリ）への接触行為等の不正行為（いわゆるゴト行為）が回避されている。
【特許文献１】特開平１１‐１１４１８４号公報
【特許文献２】特開２０００‐１８５１５６号公報
【発明の開示】
【発明が解決しようとする課題】
【０００４】
ところが、制御装置に対して上記の如き不正行為防止策を施しても、制御装置に対する不正行為は完全に回避できていない。例えば、基板カバーに覆われている制御回路基板が実施する制御動作とは異なる若しくは該制御動作を無効にする制御動作を行う基板（以下、不正基板と称する）をハーネスに取り付け、当該不正基板付きハーネスを制御回路基板間の接続に用いる不正行為が報告されている。すなわち、ハーネスを交換することによって、基板カバー内の制御回路基板に触れることなく、制御装置に不正基板を取り付けるという不正行為が行われている。
【０００５】
本発明は上述した問題点を解決するためになされたものであり、制御装置に対する不正行為をより確実に防ぐことができる制御装置を提供することを目的としている。
【課題を解決するための手段】
【０００６】
本発明による遊技機の制御装置は、互いに協同して遊技制御動作を司る複数の制御回路基板と、該制御回路基板の間を接続するハーネスと、を有する遊技機の制御装置であって、該ハーネスが貫通し得る複数の貫通孔を有する貫通孔部材と、該貫通孔毎の該ハーネスの貫通の有無を示す検知出力を生成する検知センサと、該ハーネスの貫通している該貫通孔の位置に対応して該ハーネスの該貫通孔部材に対する貫通状態を該検知センサの出力に応じて判別する判別手段と、を有することを特徴とする。
【発明を実施するための最良の形態】
【０００７】
以下、本発明による遊技機の制御装置について、添付図面を参照しつつ詳細に説明する。なお、以下の説明において、遊技機の一例としてパチンコ機を用いて説明する。
（実施例１）
図１に示す如く、遊技機１は、本体基部となる本体枠２と、本体枠２の内部に配設された遊技盤３と、遊技盤３の前面に設けられていて本体枠２に対して開閉自在になっている前面枠４と、を有する。遊技盤３の中央部分は、遊技球が転動し得る遊技領域３ａとなっている。
【０００８】
前面枠４の下方には下扉枠５が設けられている。下扉枠５には、遊技球供給用の供給皿５ａと、遊技球の発射の制御および発射強度を制御するための操作ハンドル６と、が設けられている。操作ハンドル６は、遊技機１の右側部に配置されておりかつ遊技者が握りやすいように突出している。操作ハンドル６には、所定の角度範囲内で回動自在な打出調整部７が設けられている。打出調整部７は弾球の発射装置（図示せず）を駆動せしめる操作スイッチとなっており、打出調整部７を基準位置から時計回り方向に回動せしめることによって遊技球の該発射装置が作動するようになっている。打出調整部７は、バネ等により反時計回り方向への付勢力が付与された状態で基準位置に配置されている。ここで基準位置とは非変移状態の位置をいい、かかる位置に打出調整部７が配置されている場合、遊技球は遊技盤３の遊技領域３ａに打ち出されないようになっている。
【０００９】
遊技盤３の遊技領域３ａには、一般的に役物と称される釘、風車及び入賞装置等の構造物（図示せず）が設けられている他に、遊技盤３のほぼ中央に種々の図柄及び絵柄から構成される遊技画像を遊技の進行状況に合わせて表示する図柄可変表示装置（図示せず）が配置されている。該図柄可変表示装置は、数字、文字およびキャラクターなどの識別図柄の可変表示を行うことができる液晶ディスプレイからなる。
【００１０】
図２に示す如く、遊技機１の背面側には、本体枠２の内部に設けられた支持部材を介して、発射装置８、球払出装置９等がそれぞれ組み付けられている。また、スピーカー（図示せず）などの音声発生装置（図示せず）、図柄可変表示装置（図示せず）、発射装置８等の各種装置を作動させるための制御を行う主制御装置１０及び副制御装置１１も組み付けられている。これら主制御装置１０及び副制御装置１１は、図示しないハーネス等を介して電気的に接続されている。遊技機１の作動は基本的に主制御装置１０及び副制御装置１１によって管制される。
【００１１】
遊技機の主制御装置１０及び副制御装置１１は、それぞれ略矩形皿状の基板カバー１２を２つ有しており、基板カバー１２は互いの開口面を対向させかつ合致（合体）させて、後述する制御回路基板（図２において図示せず）を収容する筐体を形成している。なお、図２中、各制御装置（１０，１１）の２つの基板カバーのうち一方のみが示されている。
【００１２】
基板カバー１２及び該制御回路基板はネジ（図示せず）等の固定手段によって固定されている。当該筐体は、孔部（図示せず）を介してハーネスのケーブル部（図２において図示せず）を外部へと導出している。該ハーネスのケーブル部の両端にはコネクタ部（図２において図示せず）が設けられており、該コネクタ部は該制御回路基板との接続を行う接続手段となっている。
【００１３】
かかる主制御装置および副制御装置の制御回路基板は、互いに協同して遊技制御動作を司る。なお、以下、遊技機の制御装置として、主に主制御装置１０の構成について記載するものの、副制御装置などの他の制御装置も略同様の構成とすることができる。
【００１４】
図３に示す如く、主制御装置１０の制御回路基板１３には、遊技機１の制御を行うロジック回路および記憶メモリを有する半導体装置１４のほかに、ハーネス接続用のコネクタ受容部１５が設けられている。また、制御回路基板１３には、制御回路基板１３と一体となっていて、複数の貫通孔（１６ａ〜１６ｆ）を有する貫通孔部材１７が設けられている。貫通孔部材１７において、貫通孔（１６ａ〜１６ｆ）は、略等間隔で互いに離間して一列に配置されており、ハーネスのケーブル部（図３において図示せず）を挿通させることができる。なお、図中の貫通孔部材１７において、第１乃至第６の貫通孔（１６ａ〜１６ｆ）が順に一列に並べて設けられている。
【００１５】
かかる貫通孔部材１７において、貫通孔（１６ａ〜１６ｆ）毎に検知センサ（１８ａ〜１８ｆ）が配置されており、検知センサ（１８ａ〜１８ｆ）はハーネスの貫通の有無を示す検出出力を生成する検出手段である。検知センサ（１８ａ〜１８ｆ）は、貫通孔（１６ａ〜１６ｆ）の周縁近傍に配置されかつ貫通孔（１６ａ〜１６ｆ）を挟む位置に設けられた発光素子１９及び受光素子２０からなる。なお、図中の貫通孔部材１７において、第１乃至第６の貫通孔（１６ａ〜１６ｆ）にはそれぞれ第１乃至第６の検知センサ（１８ａ〜１８ｆ）が設けられている。かかる検知センサ（１８ａ〜１８ｆ）は、ハーネスが貫通孔（１６ａ〜１６ｆ）を貫通しているか否かの検出を発光素子１９から受光素子２０へと進行する光の遮断の有無によって行っており、受光素子２０における発光素子１９からの光の受光の有無をオン／オフ信号として出力する。また、検知センサ（１８ａ〜１８ｆ）は貫通孔部材１７に対するハーネスの貫通状態を判別する判別手段（図３中、図示せず）に接続されており、各検知センサ（１８ａ〜１８ｆ）は該オン／オフ信号を検出信号として該判別手段へ信号を送出する。なお、検知センサ（１８ａ〜１８ｆ）と該判別手段との接続は、制御回路基板１３上に配置された配線（図示せず）等を用いて行われている。
【００１６】
該判別手段は、ハーネスの貫通している貫通孔（１６ａ〜１６ｆ）の位置に応じてハーネスの貫通孔部材１７に対する貫通状態を、検知センサ（１８ａ〜１８ｆ）の出力（検出信号）に応じて判別する手段である。該判別手段は、例えば図４に示す如く、主制御装置１０に含まれており、第１乃至第６の検知センサ（１８ａ〜１８ｆ）から検出信号を受信する判別部２１を含む。判別部２１は、第１乃至第６の検知センサ（１８ａ〜１８ｆ）からの検出信号に応じて、判別信号を生成する。該判別信号は、貫通孔部材１７に取り付けられたハーネスの貫通状態に対応した貫通位置データを担持する。かかる判別部２１は、主制御装置１０のメインＣＰＵ（central processing unit）２２に接続されており、該判別信号をメインＣＰＵ２２へ送出する。
【００１７】
メインＣＰＵ２２は、主制御装置１０に含まれているメインＲＯＭ（read only memory）２３及びメインＲＡＭ（random access memory）２４に接続されている。メインＣＰＵ２２は、遊技機の入賞装置（図示せず）に設けられた入賞球検知センサ２５等の外部装置から入力される入力信号に応じて、メインＲＯＭ２３に記憶されている遊技制御プログラムを読み込んで遊技機の遊技状態を制御する命令を生成すると共に、副制御装置１１等の外部装置に命令情報を送信して所定の遊技状態となるように実行する処理装置である。メインＲＯＭ２３には、遊技制御プログラム、乱数生成処理プログラム、乱数テーブル及び基準状態データなどが所定の領域に格納されており、これらはメインＣＰＵ２２によって適宜読み出されて、演算処理されるように用いられる。ここで、基準状態データとは、貫通孔部材１７に対するハーネスの貫通状態を監視する際に、貫通状態の正否を判断する上で基準となる貫通状態（以下、基準貫通状態とも称する）に対応するデータをいう。メインＲＡＭ２４は、ワーキングエリアとなっており、遊技において利用されるデータなどの一時的保管や書き換えなどに用いられる。
【００１８】
上記の如き構成の主制御装置１０は、遊技機１に取り付けられた球払出装置９、発射装置８及び副制御装置１１等に接続されており、副制御装置１１は図柄可変表示装置２６、音声発生装置２７、ランプ２８に接続されている。副制御装置１１は、主制御装置１０から命令情報として入力される制御信号に応じて、副制御装置１１内に格納された副制御装置用制御プログラムを適宜読み出して、該副制御用制御プログラムに従って副制御装置１１と、図柄可変表示装置２６及び音声発生装置２７及びランプ２８との間で制御信号の入出力を行い、所定の遊技状態となるようにするための駆動制御を行う。なお、副制御装置１１により駆動が制御される装置は、図柄可変表示装置２６、音声発生装置２７及びランプ２８に限られず、遊技領域３ａ（図１参照）に設けた可動式の入賞装置（図示せず）なども含まれることとする。
【００１９】
上記の如き構成の主制御装置１０において、メインＣＰＵ２２は、メインＲＯＭ２３から読み出された基準状態データに、判別部２１からの判別信号に担持されている貫通位置データを照合して、これらのデータが一致するか否か、すなわちハーネスが所定の貫通孔（１６ａ〜１６ｆ）に挿通されているか否かを判別する。換言すれば、メインＣＰＵ２２は、ハーネスの貫通孔部材１７に対する貫通状態を判別する。従って、上記実施例において、判別部２１、メインＣＰＵ２２、メインＲＯＭ２３は、判別手段となっている。
【００２０】
ここで、基準状態データと貫通位置データとが一致しない場合、メインＣＰＵ２２は、副制御装置１１に対して報知信号を送出する。該報知信号が入力された副制御装置１１は、図柄可変表示装置２６、音声発生装置２７、ランプ２８もしくはこれらの組み合わせを駆動させて、貫通孔部材１７におけるハーネスの貫通状態が基準貫通状態とは異なることを外部に報知する。
【００２１】
図５及び図６に示す如く、上記の如き構成の制御回路基板１３において、ハーネス２９のコネクタ部２９ａは、制御回路基板１３上のコネクタ受容部１５に着脱自在に取り付けられている。また、ハーネス２９のケーブル部２９ｂは、所定の貫通孔（１６ａ〜１６ｆ）を貫通するように、貫通孔部材１７を蛇行して配置されている。ハーネス２９は第１，第３，第４及び第５の貫通孔（１６ａ，１６ｃ，１６ｄ及び１６ｅ）を貫くように蛇行して配置されている。かかるハーネス２９の配置において、第１，第３，第４及び第５の検知センサ（１８ａ，１８ｃ，１８ｄ及び１８ｅ）が、ハーネス２９の貫通有りを示す検知出力（検出信号）を生成して、判別手段の判別部２１へ当該出力信号を送出する。判別部２１は、検知出力を基にして貫通位置データを担持する判別信号を生成し、主制御装置１０のメインＣＰＵ２２に該判別信号を送出する。
【００２２】
メインＣＰＵ２２は、図７に示す如きハーネス２９の貫通状態判定ルーチンを行っており、当該ルーチンにおいて、まず該判別信号に担持された貫通位置データの入力の有無を判定している（Ｓ１）。該貫通位置データの入力がある場合、メインＣＰＵ２２は、メインＲＯＭ２３から基準状態データを読み取り（Ｓ２）、その後に基準状態データと貫通位置データとを照合して、基準状態データと貫通位置データとが一致するか否かを判定する（Ｓ３）。
【００２３】
当該ステップ（Ｓ３）において、基準状態データと貫通位置データとが一致する場合、メインＣＰＵ２２は、当該判定ルーチンを終了させる。一方、基準状態データと貫通位置データとが不一致である場合、メインＣＰＵ２２は副制御装置１１へ報知信号を送出する（Ｓ４）。報知信号の入力を受けた副制御装置１１は、図柄可変表示装置２６、ランプ２７、音声発生装置２８若しくはこれらの組み合わせ（図４参照）を駆動せしめて、貫通孔部材１７におけるハーネス２９の貫通状態が基準の貫通状態とは異なることを外部に報知する。
【００２４】
報知信号を送出（Ｓ４）した後、メインＣＰＵ２２は、主制御装置１０に設けられたリセットスイッチ（図示せず）からの報知解除指令の入力の有無を判定する（Ｓ５）。かかるステップにおいて、報知解除指令が入力されない場合、再度報知解除指令の入力の有無を判定する（Ｓ５）。一方、報知解除指令が入力された場合、メインＣＰＵ２２は、副制御装置１１に対して報知解除信号を送出して（Ｓ６）、該貫通状態判定ルーチンを終了させる。なお、メインＣＰＵ２２は、当該ルーチン終了後、直ちに若しくは所定時間経過後に該貫通状態判定ルーチンを再開することとしても良い。
【００２５】
なお、貫通状態判定ルーチンにおける該貫通位置データの入力の有無を判定しているステップ（Ｓ１）において、該貫通位置データが入力されていない場合、当該ルーチンは副制御装置１１へ報知信号を送出するステップ（Ｓ４）に移行する。従って、貫通位置データの入力が無い場合においても、メインＣＰＵ２２は副制御装置１１に対して報知信号を送出する。
【００２６】
上記の如き貫通状態判定ルーチンにおいて、図５及び図6に示す如き貫通状態、すなわちハーネス２９が第１，第３，第４及び第５の貫通孔（１６ａ，１６ｃ，１６ｄ，１６ｅ）を貫いている状態が、基準貫通状態となっている場合、メインＣＰＵ２２は副制御装置１１へ報知信号を送出することはない。
【００２７】
しかし、ハーネス２９が不正行為等によって交換されて、ハーネス２９の貫通状態が基準貫通状態とは異なった場合（例えば図８に示す如くハーネス２９が第１，第３，第４，及び第６の貫通孔（１６ａ，１６ｃ，１６ｄ及び１６ｆ）を貫通する場合）、基準状態データと貫通位置データとは不一致となる。従って、メインＣＰＵ２２は、副制御装置１１を介して図柄可変表示装置２６、音声発生装置２７、ランプ２８等を駆動せしめて、ハーネス２９の貫通状態が基準貫通状態とは異なることを外部に報知する。換言すれば、上記の如き構成の制御装置は、制御回路基板１３に接続されたハーネス２９が交換によって基準貫通状態とは異なる状態で設置されたことを外部に報知することができる故、ハーネス交換による不正行為の早期発見に寄与し得る。また、制御装置が不正行為を早期に報知し得る機構を備えていることにより、当該不正行為の実施を抑制する効果がある。
【００２８】
また、上記の如き構成によれば、ハーネスを交換する際に、ハーネスのケーブル部を所定の貫通孔に通過させなければならない故、正規のハーネスを不正基板付きハーネスに交換する不正行為による作業を短時間で終了させることを困難とすることができる。より詳細に記載すると、貫通孔の大きさをコネクタ部の大きさよりも小とすることにより、コネクタ部が貫通孔を通過することができないことから、ハーネスを貫通孔部材に取り付ける場合、ハーネスのケーブル部を所定の貫通孔に挿通させた後にコネクタ部を該ケーブル部に取り付ける必要がある。従って、遊技機の設置場所（遊技場）において、ハーネス交換による不正行為を短時間で実施することが困難になる。換言すれば、制御回路基板に貫通孔部材を設けて、貫通孔に敢えてケーブルを挿通することによって、不正行為の実施を困難にして当該行為の発生を抑制することができる。
【００２９】
なお、図６に示す如く、貫通孔部材１７は、制御回路基板１３を覆う基板カバー１２に覆われていることが好ましい。基板カバー１２を取り外さなければ、貫通孔部材１７に接触することができない構造とすることで、貫通孔部材１７に挿通されたハーネス２９への接触をより困難にすることができて、ハーネス交換による不正行為の発生を抑制することができる。
【００３０】
また、図６に示す如く、ハーネス２９のコネクタ部２９ａも制御回路基板１３を覆う基板カバー１２に覆われていることとしても良い。ハーネス２９のコネクタ部２９ａを基板カバー１２で覆うことによって、ハーネス２９を取り外すことがより困難となり、結果的に、ハーネス交換による不正行為の発生を抑止することができる。
【００３１】
また、上記実施例において、貫通孔部材におけるハーネスの貫通状態が基準貫通状態とは異なる場合、図柄可変表示装置等を用いて外部に報知しているものの、これに加えて、遊技機の遊技操作（遊技球の打出操作）を全て無効にすることとしても良い。
【００３２】
さらにまた、メインＲＯＭ２３には複数の基準状態データが格納されており、メインＣＰＵ２２は当該データ群から所定の基準状態データを選択的に読み取ることとしても良い。この場合、主制御装置１０には、複数の基準状態データのうちの１つを選択する選択スイッチ（図示せず）が設けられており、該選択スイッチによって、メインＣＰＵ２２によって読み取られる基準状態データを任意に切り替えることとしても良い。
【００３３】
さらにまた、基準状態データは書き換え自在であることとしても良い。この場合、主制御装置１０のメインＲＡＭ２４はキーボード等の入力手段を用いて外部から入力された基準状態データを格納し、メインＣＰＵ２２はメインＲＡＭ２４から基準状態データを読み込むこととしても良い。
【００３４】
上記の如く、複数の基準状態データから適宜選択する若しくは基準状態データを任意に書き換えることができることにより、複数の基準貫通状態を提供することができる。従って、制御装置を複数の機種において共通にする場合、機種毎に基準貫通状態を選択的に変更することができる。
（実施例２）
貫通孔部材は制御回路基板とは別体となっており、該貫通孔部材が制御回路基板に固着されていることとしても良い。例えば、図９に示す如く、複数の貫通孔（１６ａ〜１６ｆ）を含む貫通孔部材１７は、制御回路基板１３の主面に対して交差する方向に突出するように固着されており、貫通孔（１６ａ〜１６ｆ）の伸長方向が制御回路基板１３の主面に対して略平行となっている。制御回路基板１３に対する貫通孔部材１７の固着は、接着剤を用いて行われても良い。
【００３５】
かかる貫通孔部材１７において、貫通孔（１６ａ〜１６ｆ）毎に検知センサ（１８ａ〜１８ｆ）が配置されている。検知センサ（１８ａ〜１８ｆ）は貫通孔部材１７および制御回路基板１３上に設けられた配線（図示せず）を用いて判別手段（図示せず）に接続されている。貫通孔部材１７上の該配線と制御回路基板１３上の該配線との接続は、半田付け及び導電性接着剤など、種々の接続方法を用いて行うことができる。その他の構成は、上記した実施例とほぼ同様の構成となっている。
【００３６】
上記の如く、貫通孔部材１７を制御回路基板１３とは別体にすることによって、貫通孔部材１７に対するハーネスの取り付け工程と制御回路基板１３の組付け工程とを別々にすることができる。また、図９に示す如き構成の貫通孔部材１７によれば、制御回路基板１３の構成部品（半導体装置１４等）が載置されている主面に孔を設ける必要がなく、また制御回路基板１３からハーネスを離間して配置することができることから、当該載置面を小とすることができて、結果的に制御装置の大きさを小とすることができる。
（実施例３）
貫通孔部材が基板カバーに取り付けられていて、制御回路基板とは別体となっていることとしても良い。例えば図１０に示す如く、貫通孔部材１７が２つの基板カバー１２のうちの一方の基板カバー１２の皿状の底部に設けられていて、２つの基板カバー１２が制御回路基板１３を収容する筐体を形成した場合に、貫通孔部材１７は制御回路基板１３とは離間して対向している。ここで、貫通孔部材１７における貫通孔（１６ａ〜１６ｆ）の伸長方向が皿状の底部に対して略平行となっている。
【００３７】
かかる貫通孔部材１７において、貫通孔（１６ａ〜１６ｆ）毎に検知センサ（１８ａ〜１８ｆ）が配置されている。検知センサ（１８ａ〜１８ｆ）は貫通孔部材１７、基板カバー１２および制御回路基板１３上に設けられた配線（図示せず）を介して判別手段（図示せず）に接続されている。基板カバー１２上の該配線と制御回路基板１３上の該配線との接続は、半田付け、導電性接着剤など、種々の接続方法を用いて行うことができる。その他の構成は、上記した実施例とほぼ同様の構成となっている。
【００３８】
上記の如く、貫通孔部材１７を制御回路基板１３とは別体にすることによって、貫通孔部材１７に対するハーネスの取り付け工程と制御回路基板１３の組付け工程とを別々にすることができる。また、図１０に示す如き構成の貫通孔部材１７によれば、制御回路基板１３上に貫通孔部材１７を載置する領域を設けなくて良い故、制御回路基板１３の構成部品（半導体装置１４等）が載置されている主面の面積を小とすることができて、結果的に制御装置の大きさを小とすることができる。
（実施例４）
検知センサは、押圧センサからなることとしても良い。図１１に示す如く、押圧センサ（３０ａ〜３０ｅ）は、複数の貫通孔（１６ａ〜１６ｆ）が所定の間隔で離間して一列に並べて配置されている貫通孔部材１７において、隣り合う貫通孔（１６ａ〜１６ｆ）の間、すなわち隣り合っている貫通孔（１６ａ〜１６ｆ）の開口に挟まれた位置に配置されている。また、押圧センサ（３０ａ〜３０ｅ）は、貫通孔（１６ａ〜１６ｆ）の開口が設けられている面のうちの一方の面上において、並べて配置されている。ここで、押圧センサ（３０ａ〜３０ｅ）は、押圧されることによって通電するスイッチであり、貫通孔（１６ａ〜１６ｆ）に挿通されて貫通孔部材１７を蛇行するように配置されているハーネス２９のケーブル部２９ｂが押圧センサ（３０ａ〜３０ｅ）を貫通孔部材１７に向かって押圧しているか否かを通電の有無によって検知する。押圧センサ（３０ａ〜３０ｅ）は、制御回路基板１３上に配置された配線（図示せず）を介して判別手段（図示せず）に接続されている。その他の構成は、上記した実施例の構成とほぼ同様である。
【００３９】
図１１に示す如き主制御装置１０において、第１の貫通孔１６ａと第２の貫通孔１６ｂとの間に配置されている押圧センサを第１の押圧センサ３０ａとし、第２の貫通孔１６ｂと第３の貫通孔１６ｃとの間に配置されている押圧センサを第２の押圧センサ３０ｂとして、以降、第５の貫通孔１６ｅと第６の貫通孔１６ｆとの間に配置されている第５の押圧センサ３０ｅまで、第１乃至第５の押圧センサ（３０ａ〜３０ｅ）が順に並べて配置されている。ハーネス２９は第１，第３，第４及び第５の貫通孔（１６ａ，１６ｃ，１６ｄ及び１６ｅ）を貫いて配置されており、ハーネス２９のケーブル部２９ｂは押圧センサ（３０ａ〜３０ｅ）のうち、第３及び第５の押圧センサ（３０ｃ，３０ｅ）を貫通孔部材１７側に押圧している。かかる第３及び第５の押圧センサ（３０ｃ，３０ｅ）は、該判別手段へと検出信号を供給する。
【００４０】
該判別手段は、上記した実施例とほぼ同様の構成であり、第１乃至第５の押圧センサ（３０ａ〜３０ｅ）からの検出信号に応じて生成された貫通位置データと、基準貫通状態に対応する基準状態データと、を照合して、ハーネス２９の貫通状態を判別する。ここで、ハーネス２９の貫通状態が基準貫通状態とは異なる場合、該判別手段は、上記実施例（図４及び図７等参照）と同様に、副制御装置１１を介して図柄可変表示装置２６等を駆動させて、ハーネス２９の貫通状態が基準貫通状態とは異なることを外部に報知することができる。
（実施例５）
検知センサは、電磁誘導コイルであっても良い。例えば図１２に示す如く、電磁誘導コイル（３１ａ〜３１ｆ）は、貫通孔（１６ａ〜１６ｆ）の周縁近傍、すなわち貫通孔（１６ａ〜１６ｆ）の開口縁を囲むように配置された環状の誘導コイルであり、該コイルの中空部が貫通孔（１６ａ〜１６ｆ）の開口上に配置されている。また、電磁誘導コイル（３１ａ〜３１ｆ）は貫通孔部材１７に対して固着されている。電磁誘導コイル（３１ａ〜３１ｆ）は、中空部内にハーネス２９のケーブル部２９ｂが挿通されることによるインピーダンスの変化、すなわちケーブル部２９ｂが挿通されていない場合を基準とした基準インピーダンスからの偏移の有無をもって、貫通孔（１６ａ〜１６ｆ）内におけるケーブル部２９ｂの貫通の有無を判断し、これによって検知センサとして作用する。かかる電磁誘導コイル（３１ａ〜３１ｆ）は、制御回路基板１３上に配置された配線（図示せず）を介して判別手段（図示せず）に接続されている。その他の構成は、上記した実施例の構成とほぼ同様である。
【００４１】
図１２に示す如き主制御装置１０において、第１の貫通孔１６ａの開口を囲む電磁誘導コイルを第１の電磁誘導コイル３１ａとし、第２の貫通孔１６ｂの開口を囲む電磁誘導コイルを第２の電磁誘導コイル３１ｂとして、以降、第６の貫通孔１６ｆの開口を囲む第６の電磁誘導コイル３１ｆまで、第１乃至第６の電磁誘導コイル（３１ａ〜３１ｆ）が順に並べて配置されている。ハーネス２９は第１，第３，第４及び第５の貫通孔（１６ａ，１６ｃ，１６ｄ及び１６ｅ）及び第１，第３，第４及び第５の電磁誘導コイル（３１ａ，３１ｃ，３１ｄ及び３１ｅ）を貫いて配置されている。第１乃至第６の電磁誘導コイル（３１ａ〜３１ｆ）は、各々のインピーダンス値に対応する信号を検出信号として該判別手段に供給する。
【００４２】
該判別手段は、上記した実施例とほぼ同様の構成であり、第１乃至第６の電磁誘導コイル（３１ａ〜３１ｆ）からの検出信号に応じて生成された貫通位置データと、基準貫通状態に対応する基準状態データと、を照合して、ハーネス２９の貫通状態を判別する。ここで、ハーネス２９の貫通状態が基準貫通状態とは異なる場合、該判別手段は、上記実施例（図４及び図７等参照）と同様に、副制御装置１１を介して図柄可変表示装置２６等を駆動させて、ハーネス２９の貫通状態が基準貫通状態とは異なることを外部に報知することができる。
【００４３】
なお、図示しないものの電磁誘導コイルは、貫通孔内に配置されていることとしても良い。すなわち、環状の電磁誘導コイルを貫通孔部材の貫通孔内に配置して、電磁誘導コイルの中空部分が貫通孔部材を貫く孔部の一部としても良い。
【図面の簡単な説明】
【００４４】
【図１】本発明による制御装置を備えた遊技機の正面図である。
【図２】本発明による制御装置を備えた遊技機の背面側の斜視図である。
【図３】本発明による制御装置の制御回路基板及び貫通孔部材を示す概略            斜視図である。
【図４】本発明による制御装置を含む遊技機のブロック図である。
【図５】本発明による制御装置の制御回路基板及び貫通孔部材を示す概略            斜視図である。
【図６】本発明による制御装置を示す概略断面図である。
【図７】本発明による制御装置が実施する貫通状態判定ルーチンを説明す            るフローチャートである。
【図８】本発明による制御装置を示す概略断面図である。
【図９】本発明による制御装置の変形例の制御回路基板及び貫通孔部材を            示す概略斜視図である。
【図１０】本発明による制御装置の変形例を示す概略断面図である。
【図１１】本発明による制御装置の変形例を示す概略断面図である。
【図１２】本発明による制御装置の変形例を示す概略断面図である。
【符号の説明】
【００４５】
１  遊技機
１０  主制御装置
１１  副制御装置
１２  基板カバー
１３  制御回路基板
１４  半導体装置
１５  コネクタ受容部
１６ａ〜１６ｆ  貫通孔
１７  貫通孔部材
１８ａ〜１８ｆ  検知センサ
１９  発光素子
２０  受光素子
２１  判別部（判別手段）
２２  メインＣＰＵ
２３  メインＲＯＭ
２４  メインＲＡＭ
２５  入賞球センサ
２６  図柄可変表示装置
２７  音声発生装置
２８  ランプ
２９  ハーネス
２９ａ  コネクタ部
２９ｂ  ケーブル部
３０ａ〜３０ｅ  押圧センサ
３１ａ〜３１ｆ  電磁誘導コイル
【図１】
2007244483.tif 000003
【図２】
2007244483.tif 000004
【図３】
2007244483.tif 000005
【図４】
2007244483.tif 000006
【図５】
2007244483.tif 000007
【図６】
2007244483.tif 000008
【図７】
2007244483.tif 000009
【図８】
2007244483.tif 000010
【図９】
2007244483.tif 000011
【図１０】
2007244483.tif 000012
【図１１】
2007244483.tif 000013
【図１２】
2007244483.tif 000014